(57)【要約】【課題】複数の無線機器をシステム内に備えた場合、機器の種類や接続関係および作動状態を容易に確認できない。【解決手段】テストスイッチで所定のパターンの入力で起動したガスメータ２は報知要求信号（Ｔ１）を中継機器１に送信し、報知要求信号（Ｔ１）を受けた中継機器１は中継器４、６、８に接続状態の報知要求信号（Ｔ２、Ｔ４、Ｔ６）を無線で送信した後に受信確認信号（Ｔ３、５、７）を受信し、この受信確認信号に含まれる中継機器４、６、８のＩＤ番号を表示部３に表示し、どのような中継機器がどのような親子関係を持って接続されているかを瞬時に確認することができる。【選択図】図２
2009150567.tif 000002
【特許請求の範囲】
【請求項１】
状態情報を無線データとして送受信する無線機能を内蔵した中継機器と、前記中継機器に接続され、この中継機器からの信号によりガスの供給を制御するガスマイコンメーターが複数で構成され、前記中継機器に表示部を備え、前記無線データを送受信する複数の中継機器との接続状態を前記表示部に表示することを特徴としたガス保安システム。
【請求項２】
中継機器の表示部に、無線データを送受信する複数の中継機器の状態情報を表示することを特徴とした請求項１記載のガス保安システム。
【請求項３】
中継機器の表示部に、中継機器を介して無線データを送受信される複数のガスマイコンメーターの状態情報を表示することを特徴とした請求項１記載のガス保安システム。
【請求項４】
ガスマイコンメーターに表示部を備え、中継機器と無線データを送受信する複数の中継機器との接続状態を前記ガスマイコンメーターの表示部に表示することを特徴とした請求項１記載のガス保安システム。
【請求項５】
ガスマイコンメーターに表示部を備え、中継機器と無線データを送受信する複数の中継機器の状態情報を前記ガスマイコンメーターの表示部に表示することを特徴とした請求項１記載のガス保安システム。
【請求項６】
ガスマイコンメーターに表示部を備え、中継機器を介して無線データを送受信される複数のマイコンメーターの状態情報を前記ガスマイコンメーターの表示部に表示することを特徴とした請求項１記載のガス保安システム。
【発明の詳細な説明】
【技術分野】
【０００１】
本発明は、ガス流量を計測し、異常流量が計測された場合にはガス通路を遮断し、ガス使用上の安全性を確保するガス保安システムに関するものである。
【背景技術】
【０００２】
近年、ガスの使用量を計測するガスメータに、多量の流量が計測された場合や、通常ではありえないほどの長時間使用があった場合には、異常と判定してガス通路を遮断し、安全性を確保する保安装置が内蔵されたガスマイコンメーターが普及している。
【０００３】
また、このガスマイコンメーターに無線の中継機器を接続し、ガス積算流量量の検針やガス遮断弁の開閉指示などの情報を無線データとして送受信して伝達するシステムが実用化されつつある。このシステムではマイコンメーターを接続した中継機器が複数より構成されており、それぞれが状況に応じて無線データを送受信する親機、無線データを送受信する子機、あるいは子機兼親機となり、複数の中継機器間でデータを中継して、システム全体の中継機器に無線情報を伝達するようになっている（例えば、特許文献１参照）。
【特許文献１】特開平０９−０２３２７９号公報
【発明の開示】
【発明が解決しようとする課題】
【０００４】
ところで、上記従来技術としてあげた無線中継システムを設置作業した際に接続のテストを行うことになっているが、設置作業者はメータのテストスイッチを起動することにより、中継機器はメータより送信されるメータの情報を受信すると、受信したデータを親機の中継機器に転送し、その親機より返信されてくるデータ受信確認信号を受信して転送するだけであった。そのため作業者は、複数の中継機器が接続されていることもあり、無線接続で目視確認しにくいため、どの中継機器が子機で親機となるどの中継機器に接続されているか分かりにくく、また各中継機器のその時々の作動状態も容易に確認できないという課題があった。
【０００５】
また、各中継機器を介してシステムに接続されている各ガスマイコンメーターの状態も容易に確認できないという課題もあった。
【課題を解決するための手段】
【０００６】
上記課題を解決するため本発明では、中継機器及びガスマイコンメーターの表示部に各中継機器の接続状態と作動状態の表示機能をもたせ、加えて各中継機器に接続された各マイコンメーターの状態確認も行えるようにしたものである。
【発明の効果】
【０００７】
本発明は、中継機器及びガスマイコンメーターの表示部に各中継機器の接続状態と状態情報を表示する機能をもたせ、中継機器及びガスマイコンメーターの表示部を確認することでシステム全体の状態を確認できるようにしたものである。
【発明を実施するための最良の形態】
【０００８】
第１の発明のガス保安システムは、状態情報を無線データとして送受信する無線機能を内蔵した中継機器と、前記中継機器に接続され、この中継機器からの信号によりガスの供給を制御するガスマイコンメーターが複数で構成され、前記中継機器に表示部を備え、前記無線データを送受信する複数の中継機器との接続状態を前記表示部に表示するようにしたものである。
【０００９】
これにより、作業者はシステムを構成する各無線中継機器の接続状態を瞬時に確認することができる。
【００１０】
第２の発明のガス保安システムは、第１の発明のガス保安システムにおいて、前記中継機器の表示部に、前記無線データを送受信する複数の中継機器の状態情報を表示するようにしたものである。
【００１１】
これにより、作業者はシステム内の各無線中継機器がそれぞれどのような状態であるか、中継機器の表示部を見るだけで認識することができる。
【００１２】
第３の発明のガス保安システムは、第１の発明のガス保安システムにおいて、前記中継機器の表示部に、前記中継機器を介して無線データを送受信される複数のガスマイコンメーターの状態情報を表示するものである。
【００１３】
これにより、作業者はシステム内の各ガスマイコンメーターがそれぞれどのような状態であるか、中継機器の表示部を見るだけで認識することができる。
【００１４】
第４の発明のガス保安システムは、第１の発明のガス保安システムにおいて、前記ガスマイコンメーターに表示部を備え、前記中継機器と無線データを送受信する複数の中継機器との接続状態を前記ガスマイコンメーターの表示部に表示するようにしたものである。
【００１５】
これにより、作業者は中継機器の近くまで行けない状況であっても、ガスマイコンメーターの表示部を見るだけでシステムを構成する各中継機器の接続状態を確認することができる。
【００１６】
第５の発明のガス保安システムは、第１の発明のガス保安システムにおいて、前記ガスマイコンメーターに表示部を備え、前記中継機器と無線データを送受信する複数の中継機器の状態情報を前記ガスマイコンメーターの表示部に表示するようにしたものである。
【００１７】
これにより、作業者はガスマイコンメーターの表示部を見るだけで、システム内の各中継機器がそれぞれどのような状態であるか認識することができる。
【００１８】
第６の発明のガス保安システムは、第４の発明のガス保安システムにおいて、前記中継機器を介して無線データを送受信される複数のガスマイコンメーターの状態情報を表示するようにしたものである。
【００１９】
これにより、作業者はガスマイコンメーターの表示部を見るだけで、システム内の各ガスマイコンメーターがそれぞれどのような状態であるか認識することができる。
【００２０】
以下、本発明の実施の形態について図面を用いて説明する。なお、この実施の形態によって本発明が限定されるものではない。
【００２１】
（実施の形態１）
図１は本発明の実施の形態１によるガス保安システムを示す構成図である。
【００２２】
このガス保安システムは、ガス流量の計測部、ガス通路の遮断装置で構成されているガスマイコンメーター２と、送受信部と制御部を備え、ガスマイコンメーター２と接続されガスマイコンメーター２の状態情報を無線通信で送受信する中継機器１を基本的な単位として構成される。
【００２３】
この中継機器１を親機として、ガスマイコンメーター５、７、９にそれぞれ接続された中継機器４、６、８を子機として、中継機器１に無線で接続され、情報の送受信を行う。中継機器１は中継機器４、６、８との接続情報やガスマイコンメーター５、７、９のガス検針値の状態情報を受信したり、また逆の経路で例えばガス流量の測定や遮断などの指示データを送信することもできる。
【００２４】
本発明の実施の形態１によると、中継機器１に表示部３を設け、中継機器１と無線データを送受信する複数の中継機器４、６、８の名称や固有番号や型式番号がそれぞれ表示部３に表示されるようにする。図２に表示部３の具体的な表示例を示す。このとき表示部３には親機である中継機器１と子機である中継機器４、６、８の名称と固有番号に加えて、親機と子機の接続状態が図式的に表示される。
【００２５】
また、中継機器１が行う無線通信の通信結果や送受信信号、あるいは送受信電文を表示することができる。さらに表示部３は通信結果や送受信信号の送信中や受信中を表示したり、中継機器１が送受信した電文を表示するようにしている。
【００２６】
なお表示装置は消費電力の小さいＬＣＤを使い、また表示もドットマトリックス表示を用いて様々な文字・図形や複雑な接続状態を表示可能としている。
【００２７】
以上のように構成されたガス保安システムにおいて、以下その動作（通信形態）について図３とともに説明する。
【００２８】
まず、テストスイッチで所定のパターンの入力で起動したガスメータ２は報知要求信号（Ｔ１）を中継機器１に送信する。中継機器１ではメータ２から送られた報知要求信号（Ｔ１）を受信すると受信結果を表示部３に表示する。
【００２９】
そして報知要求信号（Ｔ１）を受けた中継機器１は中継器４、６、８に接続状態の報知要求信号（Ｔ２、Ｔ４、Ｔ６）を無線で送信する。ここで報知要求信号（Ｔ２、Ｔ４、Ｔ６）を受信した中継機器４、６、８は受信確認信号（Ｔ３、５、７）を中継機器１に無線で返信する。この受信確認信号（Ｔ３、５、７）には、各中継機器のＩＤ番号や中継機器の情報データ、電池残量や通信状態を含んでいる。そして中継機器１は受信確認信号（Ｔ８）をメータ２に返信するとともに中継機器４、６、８より送られてきた中継機器のＩＤ番号を表示部３に表示する。
【００３０】
以上のように、作業者は無線で接続されたガス保安システムを設置後、メータに起動をかけ、接続テストをすると、接続状況を中継機器１の表示部３に表示させることで、どのような中継機器がどのような親子関係を持って接続されているかを瞬時に確認することができ、接続状態の確認を効率よく実施できる。
【００３１】
なお中継機器１が表示部３に表示する中継機器は、中継機器１との縁組み動作に連動して自動的に表示するようにしても良いし、中継機器１として表示する中継機器を手動で設定しても良い。
【００３２】
（実施の形態２）
本発明の実施の形態２によると、図４に示すように、中継機器１の表示部３に、中継機器１および無線で接続された各中継機器４、６、８から返信されてきた受信確認信号（Ｔ３、５、７）に含まれる状態データであるその時々の状態、例えば中継機器の無線の通信状態や電池の残量を表示されるようにする。
【００３３】
これにより、作業者は中継機器１の表示部３を確認するだけで、各場所に設置されたシステムを構成する各中継機器の現在の状態を把握することができる。
【００３４】
（実施の形態３）
本発明の実施の形態３によると、中継機器１の表示部３に、中継機器４、６、８を介して無線データを送受信する複数のガスマイコンメーター５、７、９の状態情報、例えばガスメーターの型番、固有番号、ガス流量の計測値やガス流路の監視状態などを表示されるようにする。図５に一例として、ガスマイコンメーター５、７、９の名称、固有番号、監視状態を表示したものを示した。
【００３５】
以下にその動作（通信形態）を図６とともに説明する。まず、テストスイッチで所定のパターンの入力で起動したガスメータ２は報知要求信号（Ｔ１１）を中継機器１に送信する。中継機器１ではメータ２から送られた報知要求信号（Ｔ１１を受信すると受信結果を表示部３に表示する。そして報知要求信号（Ｔ１１）を受けた中継機器１は中継器４、６、８にそれぞれに接続されたメータの状態情報の報知要求信号（Ｔ１２、Ｔ１６、Ｔ２０）を無線で送信する。そして報知要求信号（Ｔ１２、Ｔ１６、Ｔ２０）を受けた中継器４、６、８は、それぞれ接続されたメータ５、７、９にメータ状態情報の報知要求信号（Ｔ１３、Ｔ１７、Ｔ２１）を無線で送信する。ここで報知要求信号（Ｔ１３、Ｔ１７、Ｔ２１）をうけたメータ５、７、は受信確認信号（Ｔ１４、Ｔ１８、Ｔ２２）を中継機器４、６、８に無線で返信する。この受信確認信号（Ｔ１４、Ｔ１８、Ｔ２２）には、各メータのＩＤ番号やメータの状態情報、メータが通常の監視状態なのか遮断弁が作動した遮断状態なのかや、内臓の電池残量や中継機器との通信状態の情報を含んでいる。そして中継機器４、６、８は受信確認信号（Ｔ１５、Ｔ１９、Ｔ２３）を中継器１に返信し、中継機器１はメータ２に受信確認信号（Ｔ２４）を返信するとともに中継機器４、６、８より送られてきたメータ５、７、９のＩＤ番号や状態情報を表示部３に表示する。
【００３６】
以上の動作により、作業者は中継機器の表示部を確認するだけで、各場所に設置されたシステムを構成する各ガスマイコンメーターの状態を確認することができる。
【００３７】
（実施の形態４）
本発明の実施の形態４によると、中継機器２と無線データを送受信する各中継機器４、６、８のその時々の固有番号や型式番号及び親子関係などの接続状態を、ガスマイコンメーター２の表示部にそれぞれ表示されるようにする。
【００３８】
これにより、中継機器の近くまで行けない状況であっても、ガスマイコンメーター２の表示部を見るだけで、システム内の各無線中継機器４、６、８がそれぞれどのような接続状態であるか認識することができる。
【００３９】
（実施の形態５）
本発明の実施の形態５によると、中継機器２と無線データを送受信する各中継機器４、６、８のその時々の無線の通信状態や電池の残量をガスマイコンメーター２の表示部にそれぞれ表示されるようにする。
【００４０】
これにより、システムを構成する各中継機器との接続に問題がないか、ガスマイコンメーターの表示部を見るだけで確認できるようになる。
【００４１】
（実施の形態６）
本発明の実施の形態６によると、ガスマイコンメーター２の表示部に、中継機器４、６、８を介して無線データを送受信する複数のガスマイコンメーター５、７、９の状態情報、例えばガスメーターの型番、固有番号、ガス流量の計測値やガス流路の監視状態などを
表示されるようにする。
【００４２】
これにより、作業者はガスマイコンメーターの表示部を見るだけで、各場所に設置されたシステムを構成する各ガスマイコンメーターの状態を確認することができる。
【００４３】
なお、以上の実施例における中継機器は親機１台に対して子機３台であるがもっと多数であってもかまわないし、少なくても良い。
【産業上の利用可能性】
【００４４】
以上のように、本発明にかかるガス保安システムは、無線接続された通信システムにおける複数の機器の有無や接続の関係と状態を一括して確認可能となるため、今後発展する無線ネットワークによるガス保安システムに応用できる。
【図面の簡単な説明】
【００４５】
【図１】本発明の実施の形態１におけるガス保安システムを示す構成図
【図２】本発明の実施の形態１におけるガス保安システムの表示例を示す図
【図３】本発明の実施の形態１における状態確認テストの通信シーケンス図
【図４】本発明の実施の形態２におけるガス保安システムの表示例を示す図
【図５】本発明の実施の形態３におけるガス保安システムの表示例を示す図
【図６】本発明の実施の形態３における状態確認テストの通信シーケンス図
【符号の説明】
【００４６】
１  中継機器（親機）
２  ガスマイコンメーター
３  表示部
４、６、８  中継機器（子機）
５、７、９  ガスマイコンメーター
【図１】
2009150567.tif 000003
【図２】
2009150567.tif 000004
【図３】
2009150567.tif 000005
【図４】
2009150567.tif 000006
【図５】
2009150567.tif 000007
【図６】
2009150567.tif 000008